(57)【特許請求の範囲】
【請求項１】
被掛止物を引掛ける鉤部を備えた本体と、本体に回動自在に取付けられて鉤部の被掛止物導入口を開閉するゲート部材と、本体に保持されると共にゲート部材に係脱可能に係合し、ゲート部材を被掛止物導入口の閉止位置にロックするロック装置とを備えた安全フックにおいて、ロック装置はほぼ同芯位置に配された１対の押動ボタンを備え、１対の押動ボタンを同時に互いに接近するように押動したときに、前記ロック装置のロックを解除しうるように構成され、１対の押動ボタンは、これらの押動面が常に本体の表面から突出しない位置に配設されたことを特徴とする安全フック。
【発明の詳細な説明】
【０００１】
【発明の属する技術分野】
本発明は、被掛止物を引掛ける安全フックであって、特に高所作業者が装備して命綱を連結するために用いる安全フックに関するものである。
【０００２】
【従来の技術】
従来から被掛止物を引掛ける安全フックとして、被掛止物を引掛ける鉤部を備えたフック本体と、フック本体に回動自在に取付けられて鉤部の被掛止物導入口を開閉するゲート部材と、フック本体に保持されると共にゲート部材に係脱可能に係合し、ゲート部材を被掛止物導入口の閉止位置にロックするロック装置とを備えたものがある。
【０００３】
このように、ゲート部材をロックすることで、鉤部に引掛けた被掛止物が、作業中自然に外れることを防止して、安全性を図っていた。
【０００４】
前記ロック装置の例としては、フック本体の一側面に設けられた押動ボタンあるいはレバー、スイッチ等を操作することで、ロック装置のロックを解除し、ゲート部材を回動可能となるように構成していた。
【０００５】
【発明が解決しようとする課題】
しかしながら、上記従来例に示す構成では、安全フックに被掛止物を引掛けてゲート部材をロックしている状態において、作業中、誤って押動ボタン等に人体あるいは突起物が触れてしまうことにより、不意にゲート部材のロック状態が解除され、被掛止物が安全フックから外れる危険性があるという問題点があった。
【０００６】
特に、この安全フックを高所作業者が装備して命綱を連結するために用いる場合、上記のようなロックが不意に解除することは安全上絶対に許されないことである。
【０００７】
本発明は、上記の問題点に鑑み、不意にゲート部材のロックが解除されて被掛止物が安全フックより外れることのない安全性に優れたものであって、しかも被掛止物の着脱が簡単に行なえる安全フックを提供することを目的としている。
【０００８】
【課題を解決するための手段】
本発明は上記目的を達成するため、被掛止物を引掛ける鉤部を備えた本体と、本体に回動自在に取付けられて鉤部の被掛止物導入口を開閉するゲート部材と、本体に保持されると共にゲート部材に係脱可能に係合し、ゲート部材を被掛止物導入口の閉止位置にロックするロック装置とを備えた安全フックにおいて、ロック装置はほぼ同芯位置に配された１対の押動ボタンを備え、１対の押動ボタンを同時に互いに接近するように押動したときに、前記ロック装置のロックを解除しうるように構成され、１対の押動ボタンは、これらの押動面が常に本体の表面から突出しない位置に配設されたことを特徴とする。
【０００９】
このような構成では、安全フックに備えた１対の押動ボタンの双方を同時に押動するときのみロック装置のロックを解除することができ、被掛止物を鉤部より取外すことができる。換言すれば、一方の押動ボタンのみが、作業中、誤って人体等に触れて押動されてしまった場合でも、ロック装置のロックが解除することはなくゲート部材は閉状態を維持し、不意に被掛止物が安全フックより外れてしまうことはない。しかも、被掛止物を鉤部より着脱するときは、１対の押動ボタンがほぼ同芯位置に、押動面が本体の外面から常に突出しない位置で、配されているため、片手（親指、人差し指）で両ボタンをつまむという簡単な操作でロック解除を行なうことができ、便利なものである。
【００１０】
【発明の実施の形態】
以下に本発明の実施形態を図１〜図４に基づいて詳細に説明する。
【００１１】
本実施形態の安全フック１は、高所作業者が装備して命綱を連結するために用いるものであり、図１〜図３に示すように、被掛止物２（図３（ｃ）、（ｄ）参照）を引掛ける鉤部４を備えたフック本体３（本体）と、フック本体３に回動自在に取付けられて鉤部４の導入口５（被掛止物導入口）を開閉するゲート部材６と、フック本体３に保持されると共にゲート部材６に係脱可能に係合しゲート部材６を導入口５の閉止位置にロックするロック装置７とを備え、特にロック装置７はほぼ同芯位置に配された１対の押動ボタン８、９を同時に互いに接近するように押動したときに、前記ロック装置７のロックを解除しうるように構成されたことを特徴としている。
【００１２】
以下に、本実施形態の安全フック１の各構成を具体的に説明する。
【００１３】
前記フック本体３は、図２に示すように、基体１０とカバー１１とを４本のボルト１２で締結されてなる。
【００１４】
前記基体１０は、板状金属で構成され、先部１０ａの先端側に釣り針状に形成された鉤部４と、基部１０ｂの中央に円形の貫通孔１３を有している。先部１０ａと基部１０ｂでは、前者が後者より厚みが小となるように形成され、その境界に段部１５が形成されている。この段部１５は、円弧状に形成され、その中央に略矩形状の凹部３９を有している。
【００１５】
先部１０ａにおいて、鉤部４の先端上方の開放空間は、被掛止物２の導入口５になっており、鉤部４の内空間は掛止空間１８になっている。また前記段部１５の曲率中心となる位置には、軸ピン１９を通す軸ピン孔１９ａが形成されている。
【００１６】
基部１０ｂにおいて、貫通孔１３の周辺には４つのネジ孔１２ａが有り、後端側にはリング１６（図１参照）を保持するリング保持具１７が取付けられている。
【００１７】
前記貫通孔１３は、図１（ｂ）に示すように、表面側が小径部２０、内部側が大径部２１となっており、その境界に段差２２が形成されている。この貫通孔１３の外周縁部は隆起部２４となっている。
【００１８】
前記カバー１１は板状金属で構成され、図２に示すように、前記基体１０に形成された貫通孔１３と同芯の貫通孔１４を有し、この貫通孔１４の外周縁部も隆起部２３となっている。前記貫通孔１４は前記貫通孔１３の小径部２０、大径部２１、段差２２と同径の小径部２０ａ、大径部２１ａ、段差２２ａを同様の位置に有している。また貫通孔１４の周辺には、前記軸ピン孔１９ａに対応する軸ピン孔１９ｃが形成されると共に、貫通孔１４の周囲には前記各ネジ孔１２ａに対応する４つのボルト孔１２ｂが形成されている。
【００１９】
前記ゲート部材６は、Ｕ字状の板状金属で構成されており、図２に示すように、１対の突出片部６ｂ、６ｃと半円状の外周縁２６を有するベース部６ａとからなる。
【００２０】
前記突出片部６ｂ、６ｃにおいて、これらの間には、前記掛止空間１８へ被掛止物２を導くための導入空間２９が形成されており、また図２に示す右側の突出片部６ｂは、鉤部４の導入口５を開閉するゲートとしての作用を有している。
【００２１】
前記ベース部６ａは、その略中央に軸ピン１９を通す軸ピン孔１９ｂがあり、また外周縁２６に表裏各１つづつの係止凹部２７、２８を有している。
【００２２】
前記係止凹部２７、２８は、図２に示すように、ゲート部材６の表面側の係止凹部２７は、中心線Ａより右側に形成され、裏面側の係止凹部２８は中心線Ａより左側に形成されている。
【００２３】
前記ロック装置７は、１対の押動ボタン８、９と、コイルスプリングからなるバネ３０とから構成されている。
【００２４】
一方の押動ボタン８は、金属で構成されており、図２に示すように、円板部３１に半円筒部３２が一体形成され、この半円筒部３２の側端部より半径方向外方に係止片３３が突設されている。他方の押動ボタン９は、一方の押動ボタン８と同一材料で、同一形状に形成され、前記係止片３３と同一の係止片３４を有している。
【００２５】
前記円板部３１の外面が中央に若干くぼむように形成され、押動面２５となっている。
【００２６】
前記半円筒部３２は、図２に示すように、小径部３５と大径部３６を有し、その境界に段差３７が形成されている。この小径部３５は円板部３１と同径に形成されている。なお、これら小径部３５と大径部３６の径は、それぞれフック本体３の貫通孔１３、１４の小径部２０、２０ａと大径部２１、２１ａの径より微かに小径に形成されている。
【００２７】
次に、本実施形態の安全フック１の組立てについて、図２に基づいて説明する。
【００２８】
まず、両押動ボタン８、９間にバネ３０を介装し、それぞれの半円筒部３２の側端面３８どうしを重ね合わせて、これらを組立てる。次に、一方の押動ボタン８の係止片３３をゲート部材６の裏面左側に形成された係止凹部２８に係合させると共に、他方の押動ボタン９の係止片３４をゲート部材６の表面右側に形成された係止凹部２７に係合させて、ゲート部材６と両押動ボタン８、９を組み合わせる。
【００２９】
次いで、前記１対の押動ボタン８、９及びゲート部材６を本体３の基体１０に組み付ける。具体的には、１対の押動ボタン８、９は、これらの係止片３３、３４が基体１０の凹部３９に入り込むように、かつ下側の押動ボタン９が基体１０の貫通孔１３に入り込むように組み付ける。またゲート部材６を、その外周縁２６が基体１０の円弧状の段部１５に沿うように、かつゲート部材６の軸ピン孔１９ｂと基体１０の軸ピン孔１９ａが一致するように、基体１０に組み付ける。
【００３０】
その後、カバー１１をその貫通孔１４に上側の押動ボタン８が挿通するようにして基体１０およびゲート部材６上に覆い被せる。次いで、前記４つのボルト１２を用いて、カバー１１のボルト孔１２ｂを挿通して、基体１０のネジ孔１２ａに螺合してカバー１１と基体１０を仮締めする。次に、軸ピン１９を、カバー１１、ゲート部材６、基体１０の軸ピン孔１９ａ、１９ｂ、１９ｃに挿通して、ゲート部材６を回動自在に軸支し、その後４つのボルト１２を本締めする。なお、軸ピン１９は、図１（ｂ）に示すように、その両端を止め具４０で固定されている。
【００３１】
上記組立てによって、ロック装置７は、図１（ｂ）に示すように、基体１０とカバー１１の貫通孔１３、１４に組み込まれる。図１（ｂ）からも明らかなように、押動ボタン８、９は、バネ３０より突出方向の付勢力を受けた状態で、摺動可能に貫通孔１３、１４内に保持される。そして押動ボタン８、９の段差３７が、貫通孔１３、１４の段差２２、２２ａに当接することで、押動ボタン８、９の飛び出しを防止するとともに、押動面２５が隆起部２３、２４よりはみ出ないように規制している。また、それぞれの係止片３３、３４は凹部３９内において、押動ボタン８、９の押動操作に伴って、その摺動方向に自由に動くことが可能で、ゲート部材６の係止凹部２７、２８に係合、離脱する。
【００３２】
次に、本実施形態の安全フック１の使用方法を説明する。
【００３３】
通常、安全フック１は、図１（ａ）の実線で示すように、ゲート部材６はロック装置７によって、導入口５の閉止位置にロックされた状態で維持されている。
【００３４】
すなわち、上側の押動ボタン８の係止片３３がゲート部材６の裏面左側に形成された係止凹部２８に係合し、下側の押動ボタン９の係止片３４がゲート部材６の表面右側に形成された係止凹部２７に係合すると共に、両押動ボタン８、９の各係止片３３、３４がバネ３０の付勢力によりゲート部材６に当接してロック状態を維持している。このように、ロックされた状態のゲート部材６は、係止片３３と係止凹部２８、及び係止片３４と係止凹部２７による２重のロックによって、その回動を阻止されている。
【００３５】
上記ロックを解除するには、親指と人差し指で上下の押動ボタン８、９をバネ３０に抗して、同時に接近する方向に押動させればよい。これにより、係止片３３、３４が係止凹部２８、２７から離脱し、ロックが解除された状態となって、ゲート部材６は回動可能となる。
【００３６】
具体的には、上下の押動ボタン８、９を同時に押動することによって、図４に示すように、それぞれの係止片３３、３４は互いに離れる方向に動くことから、上側の押動ボタン８の係止片３３がゲート部材６の裏面左側に形成された係止凹部２８から外方に向けて離脱するとともに、下側の押動ボタン９の係止片３４がゲート部材６の表面右側に形成された係止凹部２７から外方に向けて離脱する。このようにゲート部材６は、係止片３３と係止凹部２８、及び係止片３４と係止凹部２７による２重ロックを同時に解除することで、その回動が自在になる。
【００３７】
また、一旦、ゲート部材６を所定角度回動すると、指を押動ボタン８、９から離しても、ロック解除状態が維持される。これは、ゲート部材６の回動に伴って係止凹部２７、２８の位置が変わり、係止片３３、３４がバネ３０の付勢力によってゲート部材６の外面上に当接することとなるからである。
【００３８】
このようなロック装置７を備えた安全フック１に被掛止物２を引掛ける場合、先ず、図３（ａ）に示すように、１対の押動ボタン８、９を同時に互いに接近するように人差し指と親指とで押動して、ロック装置７のロックを解除することにより、ゲート部材６が回動できる状態にする。
【００３９】
次いで、ゲート部材６を図３（ｂ）に示す矢印方向ｘに回動させ、ゲート部材６の導入空間２９を鉤部４の導入口５に位置させる。
【００４０】
次に、図３（ｃ）に示すように、被掛止物２を前記ゲート部材６の導入空間２９に導入し、図３（ｄ）に示すように、被掛止物２と共にゲート部材６を回動させ、被掛止物２を鉤部４の掛止空間１８に導くことにより、被掛止物２を鉤部４に引掛けることができる。このときゲート部材６は再び鉤部４の導入口５の閉止位置にあって、係止片３３、３４が係止凹部２８、２７と一致する回転位置にあることから、バネ３０の付勢力によって両者は係合し、自動的にロック状態となる。
【００４１】
また被掛止物２を取外す場合も、上記方法と同様に、１対の押動ボタン８、９の押動によりロック装置７のロックを解除し、ゲート部材６を回動させ、導入口５より被掛止物２を取外すことができる。
【００４２】
なお、一方の押動ボタン８のみを押動した場合、押動した方の係止片３３のみが係止凹部２８より離れるが、他方の押動ボタン９の係止片３４は係止凹部２７に係合したままであるので、ロック状態は維持され、ゲート部材６が回動することなく、被掛止物２が安全フック１より外れることがない。
【００４３】
本発明は上記実施形態に示すほか、種々の形態に構成することができる。
【００４４】
例えば、カバー１１が、基体１０と同様の形状をし、先部１０ａに鉤部４を形成すると共に、基部１０ｂに貫通孔１３（１４）を形成するような構成としてもよい。
【００４５】
また、ゲート部材６は、上記に説明したＵ字状のものに限らず、鉤部４の被掛止物導入口５を開閉でき、かつロック装置７によって、前記導入口５の閉止位置にロックできるものであればどのようなものでもよい。具体的には、ゲート部材６の形状がＩ字状に形成されたものであって、ベース部６ａから突出片部６ｂのみが突設されたものを用いても良い。
【００４６】
さらに、鉤部４は、上記に説明した形状ものに限らず、被掛止物２を引掛けることができるものであれば、どのような形状のものでもよい。
【００４７】
【発明の効果】
本発明によれば、不意にゲート部材のロックが解除されて被掛止物が安全フックより外れることのない安全性に優れたものであって、しかも被掛止物の着脱が簡単に行なえる安全フックを提供することができる。
【図面の簡単な説明】
【図１】本発明の実施形態の安全フックを示し、（ａ）はその平面図、（ｂ）はその縦断面図である。
【図２】本実施形態の安全フックを示す分解図である。
【図３】本実施形態の安全フックの使用方法を説明するための図を示し、（ａ）は押動ボタンを押動操作した際の要部断面図、（ｂ）はゲート部材を回動した際の要部平面図、（ｃ）は被掛止物を導入した際の要部平面図、（ｄ）は被掛止物を引掛けた際の要部平面図である。
【図４】本実施形態の安全フックに備えた一対の押動ボタンを示し、（ａ）はその通常時の平面図、（ｂ）はその押動時の平面図、（ｃ）はその通常時の側面図、（ｄ）はその押動時の側面図である。
【符号の説明】
１    安全フック
２    被掛止物
３    フック本体（本体）
４    鉤部
５    導入口（被掛止物導入口）
６    ゲート部材
７    ロック装置
８、９  押動ボタン
２５    押動面
【図１】
0004667661.tif 000002
【図２】
0004667661.tif 000003
【図３】
0004667661.tif 000004
【図４】
0004667661.tif 000005